(57)【要約】      （修正有）【課題】座クッションを何度も繰り返して着脱することができ、座クッションのロングライフ化を実現すると共に、座板の拭き掃除がしやすく、座クッションを座板に取り付ける際に位置決めが簡単な椅子用座及びこれを用いた折りたたみ椅子を提供する。【解決手段】折りたたみ椅子の座板８には、３個の貫通孔１０で構成された貫通孔群１１が四隅に形成されている。一方、座クッション９の座芯板１５には、この貫通孔群１１に嵌着可能な嵌合突起群１７が形成されている。座板８の下面には、貫通孔群に嵌着した嵌合突起群を包囲するよう筒状体が設けられている。そして、３本の嵌合突起１６で構成された嵌合突起群１７のうち１本の嵌合突起１６にタッピングねじを螺着することにより、座クッション９は座板８に固定される。ねじの効きが悪くなった際には、嵌合突起群１７のうち残りの嵌合突起１６を使用すればよい。【選択図】図２
0003178103.tif 000002
【実用新案登録請求の範囲】
【請求項１】
着座できるよう上面がフラットに形成された座板と、該座板の上面に取り付けられる座クッションを有し、上記座板に複数の貫通孔で構成された貫通孔群を複数設け、該座クッションの下面に該貫通孔群に嵌挿可能な複数の筒状の嵌合突起で構成された嵌合突起群を形成し、上記貫通孔群及び嵌合突起群は、上記座板及び座クッションの四隅に形成され、上記貫通孔の周囲には、該貫通孔に嵌挿された上記嵌合突起を包囲するよう筒状体が上記座板と一体的に形成され、上記貫通孔群に嵌挿した嵌合突起群のうち少なくとも１つの嵌合突起にねじを螺着して上記座板と上記座クッションを着脱可能に取り付けたことを特徴とする椅子用座。
【請求項２】
上記座板の下面前方側部には該座板を支持する略Ｕ字状に形成された座枠フレームの両先端を挿着できるよう後方に開口する受部材が形成され、該受部材と座板の縁部間には格子状の補強リブが該座板と一体的に形成されていることを特徴とする請求項１に記載の椅子用座。
【請求項３】
略Ｕ字状の前脚の中間部に略Ｕ字状の後脚の上端を枢着し、該前脚及び該後脚間に上記座枠フレームを折りたたみ可能に連結し、該座枠フレームに上記請求項１または２に記載の椅子用座を取り付けた折りたたみ椅子。
【請求項４】
上記折りたたみ椅子を折りたたんで平積みしたとき上方の椅子の上記座枠フレームが係合するよう上記椅子用座の座板の上面側方に突隆部を形成したことを特徴とする請求項３に記載の折りたたみ椅子。
【請求項５】
上記前脚の上端には背もたれが設けられ、該背もたれの上下縁には該前脚に対してほぼ垂直に起立して後方に延びる鍔部が形成され、該背もたれの両側には上記折りたたみ椅子を折りたたんで平積みしたとき上方の椅子の背もたれの両側縁が入り込むようズレ防止用リブが突設されていることを特徴とする請求項３または４に記載の折りたたみ椅子。
【請求項６】
上記後脚の上端にはロッドが摺動可能に嵌挿され、該ロッドの先端には上記前脚に軸着される連結片が設けられ、該連結片の前方または後方のうちいずれか一方には突状部が形成され、他方には折りたたみ椅子を折りたたんで平積みしたとき上方の椅子の該突状部が係合するよう凹陥部が形成されていることを特徴とする請求項３ないし５のいずれかに記載の折りたたみ椅子。
【考案の詳細な説明】
【技術分野】
【０００１】
本考案は、椅子用の座及びそれを用いた折りたたみ椅子に関する。
【背景技術】
【０００２】
近年、リース業の発達に伴い、折りたたみ椅子のリースについても需要が高まっている。このような椅子のリースに際しては、設営先の要望に応じて、座板だけの場合や、該座板に座クッションを取り付ける場合があり、また、椅子が設営先からリース会社に戻ってきたときに、汚れを落とすため座クッションを外して拭き掃除をする必要がある。このように、この種の折りたたみ椅子では、座板の上に座クッションが着脱可能に形成され、しかも着脱する機会が多くなっている。座クッションを座板に取り付ける構成として、座クッションのインナーシェル（座芯板）の下面にねじ孔を有する複数のピンを突設するとともに、座クッション（及び座芯板）を支持するアウターシェル（座板）の上面に、その軸線をピンの軸線にそれぞれ一致させた筒部を突設し、各筒部にそれぞれ対応する各ピンを嵌合させてアウターシェルをインナーシェルに装着し、上記軸線と一致する方向から螺装したボルトによりアウターシェルをインナーシェルに止着する構成のものが知られている（例えば、特許文献１参照）。しかし、このような構成の椅子用座においては、ねじ孔を有するピンとそれに対応する筒部が１つずつしかなく、上記アウターシェル及び上記インナーシェルは、合成樹脂で形成され、両者を止着するボルトは通常タッピングねじが用いられているから、座クッションと座板を何度も着脱するようにした場合、タッピングねじが常に同じピンにねじ着されることになるため、タッピングねじの効きが悪くなり、該座板に該座クッションを取り付けることができなくなってしまうという問題点があった。また、上記座クッションを上記座板に取り付ける際に位置決めが面倒であり、該座クッションが横ずれしてしまう場合もあった。その上、上記のような折りたたみ椅子を折りたたんで平積みすると、上方の椅子がずれ落ちる危険もあった。
【先行技術文献】
【特許文献】
【０００３】
【特許文献１】特公平７−７３５５３号公報（第３欄２６行目〜３０行目、第４欄４７行目〜５０行目、第５欄４５〜４８行目、第６欄２１行目〜４１行目、第１図、第７図、第８図）
【考案の概要】
【考案が解決しようとする課題】
【０００４】
本考案が解決しようとする課題は、座クッションを何度も繰り返して座板に着脱してもねじの効きが悪くならないようにして、該座クッションのロングライフ化を実現し、かつ、該座クッションを座板に取り付ける際に位置決めが簡単な椅子用座及びこれを用いた折りたたみ椅子を提供し、さらに折りたたんで平積みしたときに滑り落ちないようにした折りたたみ椅子を提供することである。
【課題を解決するための手段】
【０００５】
本考案によれば、座板の上面に座クッションを取り付けるようにした椅子用座において、該座板に複数の貫通孔で構成された貫通孔群を複数設け、該座クッションに該貫通孔群に嵌挿可能な複数の嵌合突起群を形成し、上記貫通孔群に嵌挿した嵌合突起群のうち少なくとも１つの嵌合突起にねじを螺着して上記座板と上記座クッションを着脱可能に取り付けたことを特徴とする椅子用座が提供され、上記課題が解決される。
【０００６】
また、本考案によれば、上記貫通孔群及び上記嵌合突起群は、上記座板及び上記座クッションの四隅に形成され、上記貫通孔の周囲には、該貫通孔に嵌挿された上記嵌合突起群を包囲するよう筒状体が上記座板と一体的に形成され、上記座板の下面前方側部には、該座板を支持する略Ｕ字状に形成された座枠フレームの両先端を挿着できるよう後方に開口する受部材が該座板と一体的に形成されていることを特徴とする上記椅子用座が提供され、上記課題が解決される。
【０００７】
さらに、本考案によれば、略Ｕ字状の前脚の中間部に略Ｕ字状の後脚の上端を枢着し、該前脚及び該後脚間に上記座枠フレームを折りたたみ可能に連結し、該座枠フレームに上記椅子用座を取り付けた折りたたみ椅子が提供され、該折りたたみ椅子の上記座板の上面側方には折りたたんで平積みしたとき上方の椅子の座枠フレームが係合するよう突隆部が形成され、背もたれの上下縁には該前脚に対してほぼ垂直に起立する鍔部が形成され、該背もたれの両側にはズレ防止用リブが形成されている。また、上記後脚の上端にはロッドが摺動可能に嵌挿され、該ロッドの先端には上記前脚に軸着される連結片が設けられ、該連結片の前方または後方のうちいずれか一方には突状部が形成され、他方には折りたたみ椅子を折りたたんで平積みしたとき上方の椅子の該突状部が係合するよう凹陥部が形成されていることを特徴とする上記折りたたみ椅子が提供され、上記課題が解決される。
【考案の効果】
【０００８】
本考案は、上記のように構成され、座板に複数の貫通孔で構成された貫通孔群を複数設け、座クッションに該貫通孔群に嵌挿可能な複数の嵌合突起群を形成し、上記貫通孔群に嵌挿した嵌合突起群のうち少なくとも１つの嵌合突起を選択し、ねじを螺着して上記座板と上記座クッションを着脱可能に取り付けるようにしたので、度重なる座クッションの着脱によりタッピングねじの効きが悪くなった場合には、近接する嵌合突起群の中から新たな嵌合突起を選択してねじ着すれば、１個所の嵌合突起が使えなくなっても座クッションを取り替えずに済み、座クッションのロングライフ化を実現することができる。上記嵌合突起群は、座クッション側に設けられ、座板の上面はほぼフラットに形成されているから、該座板に直接着座することができ、拭き掃除もしやすい。また、上記貫通孔群及び上記嵌合突起群を、上記座板及び上記座クッションの四隅に形成し、上記貫通孔の周囲に、該貫通孔に嵌挿された上記嵌合突起群を包囲するよう筒状体を上記座板と一体的に形成すれば、座クッションを座板に取り付ける際に、位置決めが簡単になる。さらに、上記貫通孔群や該貫通孔群に対応して設けられる上記嵌合突起群、該嵌合突起群を包囲する筒状体の数や配置等を工夫することにより、デザイン上のアクセントとして活かすこともできる。
【０００９】
また、上記椅子用座を用いた折りたたみ椅子において、上記椅子用座の座板の上面側方に突隆部を形成したり、背もたれの両側にズレ防止用リブを形成したり、後脚の上端に摺動可能に嵌挿したロッドの先端に前脚に設けた連結片の前後部に突状部と該突状部が係合する凹陥部を形成して、折りたたんで平積みしたとき、上下の椅子の各所で係合するようにすれば、椅子がずれないようにすることができる。
【図面の簡単な説明】
【００１０】
【図１】本考案の一実施例であって、その使用状態を示す斜視図である。
【図２】座において、座板から座芯板を分離した状態の説明図である。
【図３】座板と座芯板の固定状態を示し、一部を拡大して断面した説明図である。
【図４】折りたたんだ状態を示す正面図である。
【図５】折りたたんで平積みした状態を示す側面図及び一部の説明図である。
【考案を実施するための形態】
【００１１】
本考案の椅子用座は、種々の椅子に適用することができるが、図１は金属パイプ製の折りたたみ椅子に適用した一実施例を示している。折りたたみ椅子１は、略Ｕ字状に形成された前脚２の上端に背もたれ３を設け、該前脚２の中間部に略Ｕ字状に形成された後脚４を枢着してある。図１に示す実施例においては、後脚４の上端にロッド５を摺動可能に挿入し、該ロッド５の先端に連結片６を設け、該連結片６を前脚２に軸着し、前脚２及び後脚４間に座枠フレーム７を折りたたみ可能に連結してある。そして、該座枠フレーム７上に座板８を取り付け、該座板８の上面に座クッション９を着脱可能に設けている。
【００１２】
上記座枠フレーム７上に固定される合成樹脂製の座板８は、上面がほぼフラットに形成され、図２に示すように、略Ｌ字状に並んだ３個の貫通孔１０で構成された貫通孔群１１が四隅に形成されている。本実施例において、各上記貫通孔群は３個の貫通孔で構成され略Ｌ字状に配設されているが、該貫通孔群を構成する貫通孔の数は適宜数設けることができ、略Ｌ字状以外の適宜のデザインに配設することができる。また、図４に示すように、該座板８の下面前方側部（図４において正面上方側部）には、略Ｕ字形状の座枠フレーム７の両先端を挿着できるよう、後方に開口する受部材１２が該座板８と一体的に形成されている。該座板８の周縁部には、該周縁部からほぼ垂直に下方に延びる縁枠１３が形成され、該縁枠１３と該受部材１２の間には略格子状の補強リブ１４が設けられている。
【００１３】
上記座板８上に着脱可能に設けられる座クッション９は、その底面に合成樹脂製の座芯板１５を有し、該座芯板１５の下面には、上記貫通孔群１１に嵌挿可能な複数の筒状の嵌合突起１６で構成された嵌合突起群１７が複数形成されている。本実施例において、各嵌合突起群１７は、上記座板８の貫通孔突起群１１に対応して、略Ｌ字状に並んだ３本の筒状の嵌合突起１６で構成され四隅に配設されているが、各嵌合突起及び嵌合突起群の数やデザイン配置等は、上記貫通孔及び上記貫通孔群の数やデザイン配置等に対応して決定される。
【００１４】
上記座板８の下面において、上記貫通孔１０の周囲には、該貫通孔１０に嵌挿された上記嵌合突起１６を包囲するよう筒状体１８が該座板８と一体的に形成されている。そして、図３に示すように、該嵌合突起群１７を上記貫通孔群１１に嵌挿し、各嵌挿した嵌合突起群１７のうち１つの嵌合突起１６を選択してその嵌合突起１６にワッシャー１９を介してタッピングねじ２０を裏面側から螺着して、上記座クッション９は上記座板８に取り付けられている。座クッション９の着脱を繰り返すうちにタッピングねじ２０の効きが悪くなってきたら、残りの嵌合突起１６を用いてねじ着することができる。なお、座板に厚みがある場合は、上記筒状体を設けないで座板の表面にワッシャーを当接してねじ着してもよい。
【００１５】
上記座板８の上面側方には突隆部２１が設けられ、該突隆部２１は、折りたたみ椅子１を折りたたんで平積みしたとき（図５）、上方の折りたたみ椅子１の上記座枠フレーム７の両側が上記突状部２１の間に入り込むよう形成されている。
【００１６】
上記前脚２の上端に設けられた背もたれ３は、後方に湾曲するよう形成され、上縁及び下縁には該前脚２に対してほぼ垂直に起立して後方に延びる鍔部２２が設けられ、両側縁にはズレ防止用リブ２３が突設され、平積みしたとき該ズレ防止用リブ２３の間に上方の折りたたみ椅子１の背もたれ３の両側縁前面側が入り込むようにしている。
【００１７】
上記後脚４の上端には、ロッド５が略円筒形状の樹脂ブッシュ２４を介して摺動可能に挿入され、該ロッド５の上端に固着された合成樹脂製の連結片６は、ピン２５により上記前脚２に軸着されている。該連結片６の前面方向には略くちばし形状の突状部２６が形成され、後面方向には、折りたたみ椅子１を折りたたんで平積みしたとき（図５）上方の折りたたみ椅子１の突状部２６が係合するよう略すり鉢形状の凹陥部２７が形成されている。本実施例において、連結片６の前面方向に突状部２６が突設され後面方向に凹陥部２７が開口しているが、連結片の前面に凹陥部を形成し後面に突状部を設ける構成にしてもよい。上記ロッド５は、該ロッド５の下端が後脚４内に挿入された下端が、該後脚４に設けられたストッパ（ピン）２８に当接するまで、及び/または、該連結片６の下端が上記樹脂ブッシュ２４に当接するまで、後脚４内に入り込む。上記前脚２及び上記後脚４の接床部分には、滑り止め２９が設けられている。本実施例において、前脚２は後脚４に上記のように摺動可能なロッド５を用いて折りたたみ可能に連結してあるが、従来のようなリンクその他の適宜の構成により折りたたみ可能に連結することができる。
【００１８】
上記座枠フレーム７は金属パイプで形成され、上記前脚２より幅狭の略Ｕ字状に屈曲され、該座枠フレーム７の前方（図４において上方）には、該座枠フレーム７の両側を結んで補強する横杆３０がわたされている。該座枠フレーム７の側方中間部は、略円筒形状のスペーサ３１を介してピン３２で上記前脚３に枢着され、また、側方後端部は、略円錐形状のスペーサ３３を介してピン３４で後脚４の略Ｌ字状の取付片３５に枢着されている。上記座板８は、該座枠フレーム７の両先端を上記受部材１２に挿着し、該座板８の後方の縁枠１３を該座枠フレーム７にねじ着することにより、該座枠フレーム７上に固定されている。
【００１９】
上記折りたたみ椅子１は、上記のように構成されているので、座クッション９が不要の場合は該座クッションを外して座板８に着座することができる。また、緩衝作用が欲しい場合は、該座板８に座クッション９を取り付けて使用することもできる。座クッション９を取り付けて使用する場合には、上記貫通孔群１１に上記嵌合突起群１７を嵌挿し、１つの嵌合突起１６を選択して座板８の裏面側からねじ着すればよい。この嵌合突起１６のねじの効きが悪くなってきたら、残りの嵌合突起１６を用いてねじ着することができる。この折りたたみ椅子１を折りたたんで平積みすると、上記座板８の突隆部２１間に上方の折りたたみ椅子１の上記座枠フレーム７が入り込み、上記背もたれ３のズレ防止用リブ２４内に上方の折りたたみ椅子１の背もたれの両側が嵌り込み、上記連結片６の凹陥部２７が上方の折りたたみ椅子１の突状部２６に係合するから、前後左右へのずれが効果的に防止される。
【符号の説明】
【００２０】
１  折りたたみ椅子
２  前脚
３  背もたれ
４  後脚
５  ロッド
６  連結片
７  座枠フレーム
８  座板
９  座クッション
１０  貫通孔
１１  貫通孔群
１５  座芯板
１６  嵌合突起
１７  嵌合突起群
１８  筒状体
２０  タッピングねじ
２１  突隆部
２２  鍔部
２３  ズレ防止用リブ
２６  突状部
２７  陥没部
【図１】
0003178103.tif 000003
【図２】
0003178103.tif 000004
【図３】
0003178103.tif 000005
【図４】
0003178103.tif 000006
【図５】
0003178103.tif 000007